(57)【要約】【課題】スマートフォンや携帯音楽プレーヤなどの電子機器に装着されてイヤフォンコードなどの関連する配線を巻取る配線巻取具において、配線をコンパクトに収納する。【解決手段】配線巻取具１は、携帯音楽プレーヤ３１の裏面に貼付けられて面ファスナーなどから成る第１の係合シート１１と、携帯音楽プレーヤ３１と略同じ大きさ（投影面積）に形成される基板１２と、基板１２に間隔を開けて立設される２つの巻取り軸１３，１４と、巻取り軸１３，１４の先端に設けられてコード２１の抜け止めを行うフランジ板１７，１８と、フランジ板１７，１８に貼付けられて面ファスナーなどから成る第２の係合シート１５，１６とを備えて構成される。したがって、巻取り軸１３，１４から基板１２は着脱自在で、必要に応じて、コード２１を絡まないように巻付けて、携帯音楽プレーヤ３１に一体にコンパクトに収納することができる。【選択図】図１
2018195863.tif 000002
【特許請求の範囲】
【請求項１】
電子機器に装着されて、該電子機器に関連する配線を巻取る配線巻取具において、
前記電子機器に貼付けられる第１の係合シートと、
前記配線が巻回される巻取り軸と、
前記巻取り軸の一端部に貼付けられて前記第１の係合シートと係合する第２の係合シートとを含むことを特徴とする配線巻取具。
【請求項２】
前記巻取り軸は、蛇腹状または望遠鏡状に、軸方向に伸縮可能であることを特徴とする請求項１記載の配線巻取具。
【請求項３】
前記第１および第２の係合シートは、一対の面ファスナーで構成されることを特徴とする請求項１または２記載の配線巻取具。
【請求項４】
前記巻取り軸は、２本が相互に間隔を開けて配置されて、その巻取り軸間に前記配線が巻掛けられることを特徴とする請求項１〜３の何れか１項に記載の配線巻取具。
【請求項５】
前記２本の巻取り軸は、他端部が共通の基板に固着されており、この基板には、前記配線の少なくとも一方の端部付近を係止する係止部が設けられることを特徴とする請求項４記載の配線巻取具。
【請求項６】
前記電子機器は板状で、前記基板は、前記電子機器と略等しい大きさに形成されることを特徴とする請求項５記載の配線巻取具。
【請求項７】
前記電子機器はスマートフォンまたは携帯音楽プレーヤであり、前記配線はイヤフォンのコードであり、前記配線の他方の端部はイヤフォンプラグが前記電子機器のイヤフォンジャックに差込まれて係止されていることを特徴とする請求項１〜６の何れか１項に記載の配線巻取具。
【請求項８】
ブックカバー式に形成され、前記ブックカバーが閉じた状態で、前記配線および巻取り軸を収容することを特徴とする請求項７記載の配線巻取具。
【請求項９】
前記基板には、車両へ取付けるためのブラケットが設けられており、
前記電子機器はスマートフォンであり、前記車両取付け時にナビゲーション機能が使用されることを特徴とする請求項５、６または８記載の配線巻取具。
【請求項１０】
電子機器に関連する配線を巻取る配線巻取具において、
板状に形成される基板と、
前記基板に、２本が相互に間隔を開けて配置されて、その間に前記配線が巻掛けられる巻取り軸と、
前記基板に沿う板状に形成される押えカバーと、
前記押えカバーに貼付けられる第１の係合シートと、
前記巻取り軸の一端部に貼付けられて前記第１の係合シートと係合する第２の係合シートとを含むことを特徴とする配線巻取具。
【請求項１１】
前記電子機器は板状に形成され、前記基板および押えカバーはその板に沿う板状に形成され、
前記基板と押えカバーとにおいて、前記２本の巻取り軸の配列方向の端部付近を相互に連結する連結部材とを含み、
前記連結部材の連結によって、前記基板と押えカバーとの間に前記板状の電子機器が挟込み可能となることを特徴とする請求項１０記載の配線巻取具。
【請求項１２】
前記連結部材はゴム紐から成ることを特徴とする請求項１１記載の配線巻取具。
【請求項１３】
電子機器に関連する配線を巻取る配線巻取具において、
相対的に径の太い筒状部と、
前記筒状部の一端を閉止するように該一端から延び、２股に割れて形成され、相対的に径の細い巻取り軸とを含み、
前記筒状部から前記巻取り軸が延びた状態で前記巻取り軸の周囲に前記配線が交互に巻掛けられ、前記筒状部を前記巻取り軸との境界付近で折返した状態で、前記配線が巻掛けられた前記巻取り軸を該筒状部内に収容することを特徴とする配線巻取具。
【請求項１４】
前記筒状部および巻取り軸は、ニット素材から成り、
前記巻取り軸は、手袋状に使用者の２本の指が通った状態で前記配線が巻掛けられることを特徴とする請求項１３記載の配線巻取具。
【請求項１５】
前記筒状部は、リブ編みで形成されることを特徴とする請求項１４記載の配線巻取具。
【請求項１６】
前記ニット素材は、ポリエステル繊維を含有することを特徴とする請求項１４または１５記載の配線巻取具。
【請求項１７】
余剰の紐体を巻取るための巻取具において、
基板と、
前記基板に相互に間隔を開けて立設され、その周囲に前記紐体が巻き掛けられる２本の巻取り軸と、
前記基板に形成され、巻き掛けられた前記紐体の端部付近を係止する係止部とを含むことを特徴とする紐体の巻取具。
【発明の詳細な説明】
【技術分野】
【０００１】
本発明は、イヤフォンコードなどの配線を巻取る配線巻取具およびそれを備える携帯型電子機器と、一般的な紐体の巻取具とに関する。
【背景技術】
【０００２】
前記携帯型電子機器としてスマートフォンの場合には、イヤフォンが使用されることがあり、前記携帯型電子機器として携帯音楽プレーヤの場合は、イヤフォンが必要になる。そのイヤフォンは、極一部、無線を使用するワイヤレスの商品も発売されているが、多くは、従来ながらイヤフォンコードを使用するワイヤードの商品である。特に携帯型電子機器におけるこのような配線は、収納時には簡単に束ねられ、使用時には簡単に引出される必要がある。
【０００３】
しかしながら、現状では、使用者がジグザグに折り畳んで中央を束ねたり、環状に束ねたりしていることが多く、上手く束ね、解かないと、コードが絡まってしまうという問題がある。そこで、特許文献１では、イヤフォンプラグの基部に結束バンドを設けてイヤフォンコードを束ね，絡まないようにしたコード絡み防止具が提案されている。また、特許文献２では、携帯電話やプレーヤを首からぶら下げるための紐の途中に、イヤホンケーブルを巻取るようにした携行装置が提案されている。
【先行技術文献】
【特許文献】
【０００４】
【特許文献１】特開２０１３−１０２４０４号公報
【特許文献２】特開２００３−５２４４６０号公報
【発明の概要】
【発明が解決しようとする課題】
【０００５】
特許文献１の従来技術では、イヤフォンプラグに配線の塊が出来てしまうことになり、見場が悪いとともに、元々薄型のスマートフォンや携帯音楽プレーヤの厚みが、その部分で増してしまうという問題がある。特許文献２の従来技術では、コードを巻取っているので、巻取りや引出しは容易であるものの、首からぶら下げる紐を携帯型電子機器に通していなければ使用することができず、また巻取具は携帯型電子機器と別体で扱い難い。
【０００６】
本発明の目的は、必要に応じて、配線を絡まないように巻付けて、電子機器に一体にコンパクトに収納することができる配線巻取具およびそれを用いる携帯型電子機器ならびに紐体の巻取具を提供することである。
【課題を解決するための手段】
【０００７】
本発明の配線巻取具は、電子機器に装着されて、該電子機器に関連する配線を巻取る配線巻取具において、前記電子機器に貼付けられる第１の係合シートと、前記配線が巻回される巻取り軸と、前記巻取り軸の一端部に貼付けられて前記第１の係合シートと係合する第２の係合シートとを含むことを特徴とする。
【０００８】
上記の構成によれば、電子機器に装着されて、該電子機器に関連する配線、たとえばスマートフォンや携帯音楽プレーヤなどの電子機器に使用されるイヤフォンのコードを巻取る配線巻取具において、実際に配線が巻回される巻取り軸を、電子機器に貼付けられる第１の係合シートと、該巻取り軸の一端部に貼付けられる第２の係合シートとの係合によって、着脱自在に取付ける。
【０００９】
したがって、必要に応じて該配線巻取具を用い、配線を絡まないように巻付けて、電子機器に一体にコンパクトに収納することができる。
【００１０】
また、本発明の配線巻取具では、前記巻取り軸は、蛇腹状または望遠鏡状に、軸方向に伸縮可能であることを特徴とする。
【００１１】
上記の構成によれば、巻取り軸が伸縮可能であるので、任意の巻数、すなわち配線の引出し長さに応じて、巻取り軸の高さ、したがって該配線巻取具が装着される電子機器の厚さを最小限にすることができる。或いは、対応可能な配線の太さの範囲を広くすることができ、複数の配線に該配線巻取具を共用し、製造コストを削減することができる。適宜引出して、その状態で自己保持することができる蛇腹は、ポリプロピレン成形品などで実現することができる。
【００１２】
さらにまた、本発明の配線巻取具では、前記第１および第２の係合シートは、一対の面ファスナーで構成されることを特徴とする。
【００１３】
上記の構成によれば、第１の係合シートを電子機器に貼付けておけば、巻取り軸は適宜着脱自在となる。
【００１４】
したがって、たとえばイヤフォンコードなどの配線を、電子機器に接続しない場合には、巻取り軸自体を外しておくことができ、好適である。
【００１５】
また、本発明の配線巻取具では、前記巻取り軸は、２本が相互に間隔を開けて配置されて、その巻取り軸間に前記配線が巻掛けられることを特徴とする。
【００１６】
上記の構成によれば、２本の巻取り軸が間隔を開けて配置されるので、配線を同じ巻取り軸に巻付けるのではなく、巻取り軸間に巻掛けることで、巻取り軸の径が細くても、その間隔が広くなる程、１回の巻付けで巻取れる配線の長さを長くすることができる。
したがって、２本の巻取り軸を用いることで、巻付け回数を少なくし、軸の高さを低く、したがって該配線巻取具を装着した電子機器の厚さを薄くすることができる。
【００１７】
さらにまた、本発明の配線巻取具では、前記２本の巻取り軸は、他端部が共通の基板に固着されており、この基板には、前記（巻回された配線が解けないように該）配線の少なくとも一方の端部付近を係止する係止部が設けられることを特徴とする。
【００１８】
上記の構成によれば、基板に２本の巻取り軸を立設して該配線巻取具を構成することで、前記２本の巻取り軸を一体で電子機器に着脱することができる。そして、基板に、スリットや、フックなどで、巻回された配線の少なくとも一方の端部付近を係止する適宜の係止部を設けておくことで、前記２本の巻取り軸に巻付けた配線の端部付近を、解けないように容易に保持することができる。
【００１９】
また、本発明の配線巻取具では、前記電子機器は板状で、前記基板は、前記電子機器と略等しい大きさ（投影面積）に形成されることを特徴とする。
【００２０】
上記の構成によれば、電子機器と基板とのほぼ同じ大きさの２枚の板の間に、前記２本の巻取り軸と、それに巻掛けられた配線やイヤフォンなどが挟み込まれることになる。
【００２１】
したがって、見場がすっきりするとともに、配線を解け難くすることもできる。
【００２２】
さらにまた、本発明の配線巻取具では、前記電子機器はスマートフォンまたは携帯音楽プレーヤであり、前記配線はイヤフォンのコードであり、前記配線の他方の端部はイヤフォンプラグが前記電子機器のイヤフォンジャックに差込まれて係止されていることを特徴とする。
【００２３】
上記の構成によれば、電子機器としてスマートフォンまたは携帯音楽プレーヤの場合、薄い板状に形成されるので、配線を薄く収納できる本発明が好適である。さらに、イヤフォンコードは細く、長く、絡まり易くて、本発明が好適である。また、そのイヤフォンコードは、イヤフォンが取付けられている一端がフリーで、他端はジャックとプラグとで係止できており、イヤフォンコードを巻取って前記一端を係止するだけで、解けないようにコンパクトに収納することができる。
【００２４】
また、本発明の配線巻取具では、ブックカバー式に形成され、前記ブックカバーが閉じた状態で、前記配線および巻取り軸を収容することを特徴とする。
【００２５】
上記の構成によれば、電子機器の裏面にブックカバー式の該配線巻取具を取付け、カバーを開けて配線の巻取りや引出しを行い、カバーを閉じることで、配線をその状態で容易に固定することができる。
【００２６】
さらにまた、本発明の配線巻取具では、前記基板には、車両へ取付けるためのブラケットが設けられており、前記電子機器はスマートフォンであり、前記車両取付け時にナビゲーション機能が使用されることを特徴とする。
【００２７】
上記の構成によれば、配線や電子機器と一体化した基板に、さらに車両への取付けを可能にするブラケットを装着可能にする。そして、該配線巻取具および電子機器を車両に取付けた状態で、電子機器は、そのナビゲーション機能が使用されるようにする。
【００２８】
したがって、スマートフォンをカーナビなどとして使用するにあたって、自動車などの車両への取付けのために、わざわざホルダを用意する必要はなく、該配線巻取具を共用することができる。
【００２９】
また、本発明の配線巻取具は、電子機器に関連する配線を巻取る配線巻取具において、板状に形成される基板と、前記基板に、２本が相互に間隔を開けて配置されて、その間に前記配線が巻掛けられる巻取り軸と、前記基板に沿う板状に形成される押えカバーと、前記押えカバーに貼付けられる第１の係合シートと、前記巻取り軸の一端部に貼付けられて前記第１の係合シートと係合する第２の係合シートとを含むことを特徴とする。
【００３０】
上記の構成によれば、電子機器に装着されて、該電子機器に関連する配線、たとえばスマートフォンや携帯音楽プレーヤなどの電子機器に使用されるイヤフォンのコードを巻取る配線巻取具において、実際に配線が巻回される巻取り軸を、２本の一対で基板に設けて、その巻取り軸の上に押えカバーを被せるにあたって、押えカバーの側には第１の係合シートを貼付け、巻取り軸の一端部には前記第１の係合シートと係合する第２の係合シートを貼付け、第１および第２の係合シートを剥がした状態で、配線の着脱、すなわち巻取り軸に配線を巻付けたり解いたりし、第１および第２の係合シートの係合によって、押えカバーと基板との間に配線を挟み込むことができる。
【００３１】
したがって、必要に応じて該配線巻取具を用い、配線を絡まないように巻付けて、コンパクトに、かつ電子機器とは切離して、つまり別体で収納することができる。また、２本の巻取り軸が間隔を開けて配置されるので、巻付け回数を少なくし、軸の高さを低く、したがって該配線巻取具を装着した電子機器の厚さを薄くすることもできる。
【００３２】
さらにまた、本発明の配線巻取具では、前記電子機器は板状に形成され、前記基板および押えカバーはその板に沿う板状に形成され、前記基板と押えカバーとにおいて、前記２本の巻取り軸の配列方向の端部付近を相互に連結する連結部材とを含み、前記連結部材の連結によって、前記基板と押えカバーとの間に前記板状の電子機器が挟込み可能となることを特徴とする。
【００３３】
上記の構成によれば、電子機器が板状に形成されることから、前記基板および押えカバーはその板に沿う板状に形成され、それらの両端が連結部材で連結されることで、第１および第２の係合シートは、相互に係合できなくなるが、基板と押えカバーとの間に電子機器を挟み込み、配線は、その電子機器と基板との間に挟み込むこになる。
【００３４】
こうして、配線を巻取った該配線巻取具を、上述のように電子機器とは別体とするだけでなく、一体とすることもできる。
【００３５】
また、本発明の配線巻取具では、前記連結部材はゴム紐から成ることを特徴とする。
【００３６】
上記の構成によれば、第１および第２の係合シートの係合を解除し、かつゴム紐を伸ばして押えカバーを基板から離した状態で、巻取り軸に配線を、巻付けたり、解いたりすることができる。そして、ゴム紐を縮めると、基板に押えカバーが被さり、第１および第２の係合シートが係合し、該配線巻取具（巻取った配線も含めて）を、電子機器と別体で保管することができる。一方、巻取り軸に配線を、巻付け、或いは解いた状態で、基板と押えカバーとの間に、板状の電子機器や、そのカバーを差込み、ゴム紐を縮めると、該配線巻取具（巻取った配線も含めて）を、電子機器と一体で保管することができる。
【００３７】
こうして、ゴム紐で基板と押えカバーとを連結するだけで、該配線巻取具を、電子機器と容易に一体化或いは別体化することができる。
【００３８】
さらにまた、本発明の配線巻取具は、電子機器に関連する配線を巻取る配線巻取具において、相対的に径の太い筒状部と、前記筒状部の一端を閉止するように該一端から延び、２股に割れて形成され、相対的に径の細い巻取り軸とを含み、前記筒状部から前記巻取り軸が延びた状態で前記巻取り軸の周囲に前記配線が交互に巻掛けられ、前記筒状部を前記巻取り軸との境界付近で折返した状態で、前記配線が巻掛けられた前記巻取り軸を該筒状部内に収容することを特徴とする。
【００３９】
上記の構成によれば、電子機器に関連する配線、たとえばスマートフォンや携帯音楽プレーヤなどの電子機器に使用されるイヤフォンのコードを巻取る配線巻取具において、実際に配線が巻回される巻取り軸を、太い筒状部から２股に割れて形成する。そして、筒状部から巻取り軸が延びた状態で巻取り軸の周囲に配線を交互に巻掛けることで巻取り、その後、筒状部を巻取り軸との境界付近で折返すことで、配線を巻取った巻取り軸を該筒状部内に収容して、解けないようにして保持する。
【００４０】
したがって、配線を絡まないように巻付けて、簡単かつコンパクトに収納することができる。
【００４１】
また、本発明の配線巻取具では、前記筒状部および巻取り軸は、ニット素材から成り、前記巻取り軸は、手袋状に使用者の２本の指が通った状態で前記配線が巻掛けられることを特徴とする。
【００４２】
上記の構成によれば、前記筒状部および巻取り軸をニット素材で形成することで、不使用時は平らに潰して、適宜折畳んだりして、コンパクトに保管することができる。そして、使用時は、自己支持（形状保持）性の乏しいニット素材につき、手袋のように、使用者の２本の指を筒状部から巻取り軸に通した状態で、配線を巻掛けることができるようになる。
【００４３】
さらにまた、本発明の配線巻取具では、前記筒状部は、リブ編みで形成されることを特徴とする。
【００４４】
上記の構成によれば、ニットから成る筒状部に、袖口などで見られるリブ編みを採用することで、前記配線が巻掛けられた巻取り軸を、該筒状部が収縮して、前記配線が解けないように収容することができ、好適である。
【００４５】
また、本発明の配線巻取具では、前記ニット素材は、ポリエステル繊維を含有することを特徴とする。
【００４６】
上記の構成によれば、前記のニット素材にポリエステル繊維を含有することで、前記自己支持（形状保持）性を増加することができる。また、或る程度の導電性を持たせることも可能であり、前記配線としてはイヤフォンコード、電子機器としてはスマートフォンの組合わせの場合、手袋状の該配線巻取具を着用したまま、スマートフォンの操作が可能になる。
【００４７】
さらにまた、本発明の紐体の巻取具は、余剰の紐体を巻取るための巻取具において、基板と、前記基板に相互に間隔を開けて立設され、その周囲に前記紐体が巻き掛けられる２本の巻取り軸と、前記基板に形成され、巻き掛けられた前記紐体の端部付近を係止する係止部とを含むことを特徴とする。
【００４８】
上記の構成によれば、比較的細手の紐、たとえば巾着袋の口を締め上げる紐などで、余剰の部分を巻取っておくための巻取具において、巻取りの軸だけでなく、基板を設けるとともに、前記巻取りの軸も一対の２本を、前記基板に相互に間隔を開けて立設する。さらに、前記基板には、巻き掛けられた紐体の端部付近を係止する係止部を設けておく。
【００４９】
したがって、紐体は、２本の巻取り軸に、楕円や８の字に、幅を持って巻き掛けられるので、比較的長くの紐体を、薄く巻取ることができる。また、クリップや、基板に形成したスリットなどから成る係止部で紐体の端部付近を係止することで、不所望に解けてしまうことも防止することができる。こうして、余剰な紐体の長さ調整を行うことで、たとえば前記巾着袋の場合、口を縛って長く伸びた紐を適宜巻き取っておくことができ、ぶら下げ高さを調整することができる。
【発明の効果】
【００５０】
本発明の配線巻取具は、以上のように、スマートフォンや携帯音楽プレーヤなどの電子機器に装着されて、イヤフォンコードなどの関連する配線を巻取る配線巻取具において、実際に配線が巻回される巻取り軸を、電子機器に貼付けられる第１の係合シートと、該巻取り軸の一端部に貼付けられる第２の係合シートとの係合によって着脱自在に取付ける。
【００５１】
それゆえ、必要に応じて、配線を絡まないように巻付けて、電子機器に一体にコンパクトに収納することができる。
【００５２】
また、本発明の配線巻取具は、以上のように、スマートフォンや携帯音楽プレーヤなどの電子機器に使用されるイヤフォンコードなどの関連する配線を巻取る配線巻取具において、実際に配線が巻回される巻取り軸を、２本の一対で基板に設けて、その巻取り軸の上に押えカバーを被せ、その押えカバーに貼付けられる第１の係合シートと、前記巻取り軸の一端部に貼付けられる第２の係合シートとの係合によって、押えカバーと基板との間に配線を挟み込むようにする。
【００５３】
それゆえ、必要に応じて該配線巻取具を用い、配線を絡まないように巻付けて、コンパクトに、かつ電子機器とは切離して、つまり別体で収納することができる。
【００５４】
さらにまた、本発明の配線巻取具は、以上のように、スマートフォンや携帯音楽プレーヤなどの電子機器に使用されるイヤフォンなどの関連する配線を巻取る配線巻取具において、太い筒状部から２股に割れて巻取り軸を形成し、筒状部から巻取り軸が延びた状態で巻取り軸の周囲に配線を交互に巻掛けることで巻取り、その後、筒状部を巻取り軸との境界付近で折返すことで、配線を巻取った巻取り軸を該筒状部内に収容して、解けないようにして保持する。
【００５５】
それゆえ、配線を絡まないように巻付けて、簡単かつコンパクトに収納することができる。
【００５６】
さらにまた、本発明の紐体の巻取具は、以上のように、比較的細手の紐、たとえば巾着袋の口を締め上げる紐などで、余剰の部分を巻取っておくための巻取具において、巻取りの軸だけでなく、基板を設けるとともに、前記巻取りの軸も一対の２本を、前記基板に相互に間隔を開けて立設し、さらに前記基板には、巻き掛けられた紐体の端部付近を係止する係止部を設けておく。
【００５７】
それゆえ、紐体は、２本の巻取り軸に、楕円や８の字に、幅を持って巻き掛けられるので、比較的長くの紐体を、薄く巻取ることができる。また、クリップや、基板に形成したスリットなどから成る係止部で紐体の端部付近を係止することで、不所望に解けてしまうことも防止することができる。こうして、余剰な紐体の長さ調整を行うことで、たとえば前記巾着袋の場合、口を縛って長く伸びた紐を適宜巻き取っておくことができ、ぶら下げ高さを調整することができる。
【図面の簡単な説明】
【００５８】
【図１】本発明の実施の一形態に係る配線巻取具の使用状態を説明するための図であり、該配線巻取具にイヤフォンコードを巻付けた状態を示す斜視図である。
【図２】図１の配線を巻付ける前の状態を示す斜視図である。
【図３】巻付けた配線巻取具を携帯音楽プレーヤに組付けた状態を側方から見た斜視図である。
【図４】前記組付けた状態を上方から見た斜視図である。
【図５】本発明の実施の他の形態に係る配線巻取具の使用状態を説明する斜視図である。
【図６】本発明の実施の他の形態に係る配線巻取具の使用状態を説明する斜視図である。
【図７】本発明の実施のさらに他の形態に係る配線巻取具の使用状態を説明する斜視図であり、該配線巻取具にイヤフォンコードを巻付ける際の斜視図である。
【図８】図７で示す配線巻取具の使用状態を説明する斜視図であり、イヤフォンコードを巻付けた該配線巻取具を単体で持運び可能にした状態を示す斜視図である。
【図９】図７および図８で示す配線巻取具の使用状態を説明する斜視図であり、該配線巻取具をスマートフォンに組付けた状態を示す斜視図である。
【図１０】図７および図８で示す配線巻取具の使用状態を説明する斜視図であり、該配線巻取具をスマートフォンのカバーに組付けた状態を示す斜視図である。
【図１１】本発明の実施の他の形態に係る配線巻取具の使用状態を説明する斜視図であり、該配線巻取具にイヤフォンコードを巻付ける前の斜視図である。
【図１２】図１１で示す配線巻取具の使用状態を説明する斜視図であり、イヤフォンコードを巻付けた状態を示す斜視図である。
【図１３】図１１および図１２で示す配線巻取具の使用状態を説明する斜視図であり、イヤフォンコードを収納した状態を示す斜視図である。
【図１４】本発明の実施のさらに他の形態に係る紐体の巻取具の使用状態を説明する斜視図である。
【図１５】本発明の実施のさらに他の形態に係る紐体の巻取具の斜視図である。
【図１６】図１４および図１５で示す紐体の巻取具を使用しない場合の問題点を示す斜視図である。
【発明を実施するための形態】
【００５９】
（実施の形態１）
図１〜図４は本発明の実施の一形態に係る配線巻取具１の使用状態を説明するための図であり、図１は該配線巻取具１にイヤフォン２のコード２１を巻付けた状態を示す斜視図であり、図２は巻付ける前の状態を示す斜視図であり、図３は巻付けた配線巻取具１を携帯音楽プレーヤ３１に組付けた状態を側方から見た斜視図であり、図４は前記組付けた状態を上方、すなわち携帯音楽プレーヤ３１の裏面側から見た斜視図である。この配線巻取具１は、スマートフォンや携帯音楽プレーヤなどの携帯型電子機器（本実施形態では携帯音楽プレーヤ３１で示す）に装着されて、関連する配線であるイヤフォン２のコード２１を巻取る配線巻取具である。
【００６０】
配線巻取具１は、携帯音楽プレーヤ３１に貼付けられる第１の係合シート１１と、携帯音楽プレーヤ３１に略等しい大きさ（投影面積）に形成される基板１２と、基板１２に相互に間隔を開けて立設され、イヤフォン２のコード２１を巻取る２本の巻取り軸１３，１４と、巻取り軸１３，１４の先端部に貼付けられて第１の係合シート１１と係合する第２の係合シート１５，１６とを備えて構成される。さらに本実施形態では、巻取り軸１３，１４の先端部には、該巻取り軸１３，１４よりも径の大きなフランジ板１７，１８が貼付けられて、前記第２の係合シート１５，１６は、このフランジ板１７，１８に貼付けられている。こうして、巻取り軸１３，１４に巻取られたコード２１が、抜け落ちない（軸方向にずれ落ちない）ようになっている。
【００６１】
イヤフォン２のプラグ２２は、携帯音楽プレーヤ３１の側部（本実施形態では底部）に設けられたジャックに差込まれ、このプラグ２２からコード２１の一端が延びている。コード２１の他端には、イヤフォン本体２３，２４が取付けられている。携帯音楽プレーヤ３１の不使用時や、使用時であってもコード２１が長い場合には、使用者は、図２から図１で示すように、該コード２１を巻取り軸１３，１４に適宜巻付けて、収納することができる。その巻付けた状態で、巻取り軸１３，１４の第２の係合シート１５，１６を、それぞれ第１の係合シート１１に係合させる。係合シート１１；１５，１６は、本実施形態では、面ファスナーによって構成され、したがって着脱自在である。こうして、本実施形態の配線巻取具１を用いることで、必要に応じて、コード２１を絡まないように巻付けて、携帯音楽プレーヤ３１に一体に、コンパクトに収納することができる。
【００６２】
また、本実施形態の配線巻取具１では、巻取り軸１３，１４は、蛇腹状または望遠鏡状に（図２では蛇腹を例示している）、軸方向に伸縮可能となっている。前記蛇腹の巻取り軸１３，１４の場合、ポリプロピレン成形品などで実現することができ、適宜引出して、その状態で自己保持することができるようになっている。このように、巻取り軸１３，１４を伸縮可能とすることで、任意の巻数、すなわちコード２１の引出し長さに応じて、巻取り軸１３，１４の高さ、したがって該配線巻取具１が装着される携帯音楽プレーヤ３１の厚さを最小限にすることができる。或いは、対応可能なコード２１の太さの範囲を広くすることができ、複数のコード２１に該配線巻取具１を共用し、製造コストを削減することができる。
【００６３】
さらに、本実施形態の配線巻取具１では、係合シート１１；１５，１６は、一対の面ファスナーで構成されるので、第１の係合シート１１を携帯音楽プレーヤ３１に貼付けておけば、巻取り軸１３，１４は適宜着脱自在となる。そのためイヤフォン２のコード２１を携帯音楽プレーヤ３１に接続しない場合には、巻取り軸１３，１４自体を外しておくことができ、携帯音楽プレーヤ３１が嵩張らず、好適である。
【００６４】
また、本実施形態の配線巻取具１では、巻取り軸１３，１４は、２本が相互に間隔を開けて配置されて、その巻取り軸１３，１４間にコード２１が巻掛けられる。つまり、コード２１を同じ巻取り軸１３，１４に連続して巻付けるのではなく、図１では、その２本の巻取り軸１３，１４間に、コード２１が襷状、つまり８の字状に巻掛けられている。
【００６５】
そうすることで、巻取り軸１３，１４の径が細くても、その間隔が広くなる程、１回の巻付けで巻取れるコード２１の長さを長くすることができ、巻付け回数を少なくし、巻取り軸１３，１４の高さを低く、したがって該配線巻取具１を装着した携帯音楽プレーヤ３１の厚さを薄くすることができる。また、基板１２に２本の巻取り軸１３，１４を立設して該配線巻取具１を構成することで、２本の巻取り軸１３，１４を一体で携帯音楽プレーヤ３１の裏面に着脱することができる。
【００６６】
さらにまた、本実施形態の配線巻取具１では、携帯音楽プレーヤ３１は板状で、特に図４で示すように、基板１２は、携帯音楽プレーヤ３１と略等しい大きさ（投影面積）に形成されるので、図３で示すように、携帯音楽プレーヤ３１と基板１２とのほぼ同じ大きさの２枚の板の間に、２本の巻取り軸１３，１４と、それに巻掛けられたコード２１やイヤフォン本体２３，２４などが挟み込まれることになり、見場がすっきりするとともに、コードを解け難くすることもできる。
【００６７】
また、本実施形態の配線巻取具１は、使用する電子機器として、スマートフォンまたは上述のような携帯音楽プレーヤ３１であり、巻取る配線としては、イヤフォン２のコード２１であることが好ましい。それは、前記スマートフォンや携帯音楽プレーヤ３１の場合、薄い板状に形成されるので、コード２１を薄く収納できる本発明が好適であるためである。また、イヤフォン２のコード２１は細く、長く、絡まり易いためである。さらに、そのイヤフォン２コード２１は、イヤフォン本体２３，２４が取付けられている一端がフリーで、他端はジャックとプラグ２２とで係止できており、コード２１を巻取って一端を係止するだけで、解けないようにコンパクトに収納することができるためである。
【００６８】
ここで、図１の例では、コード２１は、巻取り軸１３，１４に巻付けられた後、イヤフォン本体２３，２４付近のコード２１の一端の部分で、前記襷掛けされた（８の字状の）コード２１の中央部が束ねられるとともに、該イヤフォン本体２３，２４も固定されて、解けないようになっている。
【００６９】
しかしながら、基板１２に、参照符号１２１，１２２で示すようなスリットを形成し、前記コード２１の一端を係止するようにしてもよい。図１の例では、基板１２の側面から内方に向けて、係止部として、一対のスリット１２１，１２２を形成し、基板１２において巻取り軸１３，１４が形成される表面側から、スリット１２１，１２２の一方で前記コード２１の一端を裏面に通し、スリット１２１，１２２の他方で、再び、表面に引出すことで、イヤフォン本体２３，２４を基板１２と携帯音楽プレーヤ３１との間に挟み込みつつ、前記コード２１の一端を係止することができる。
【００７０】
図１の例では、スリット１２１，１２２の一方（図１の例では１２２）を、終端で角度を変えている（図１の例では基板１２の側面と平行に沿わせている）。そうすることで、コード２１の外れ止めを行うことができる。同様に、スリット１２１，１２２に限らず、フックやクランプ部材でも、コード２１の一端を、解けないように係止することができる。
【００７１】
（実施の形態２）
図５および図６は、本発明の実施の他の形態に係る配線巻取具４の使用状態を説明する斜視図である。この配線巻取具４は、装着される電子機器を、スマートフォン３２とする。図５および図６では図面の明確化のために図示を省略しているが、スマートフォン３２にはイヤフォン２が取付けられ、該配線巻取具４は前述のコード２１を巻取る。この配線巻取具４において、前述の配線巻取具１に類似し、対応する部分には同一の参照符号を付して、その説明を省略する。
【００７２】
注目すべきは、本実施形態の配線巻取具４は、ブックカバー式に形成され、その内部に前記コード２１および巻取り軸１３，１４を収容することである。詳しくは、この配線巻取具４は、搭載部４１と、連結部４２と、巻取り部４３とを備えて構成される。
【００７３】
搭載部４１は、表面側に、スマートフォン３２を収容する凹所４１１を備え、収容したスマートフォン３２を周囲の衝撃から保護する。外周壁４１２の一部には、前記イヤフォン２のプラグ２２を通す切り欠き４１３が形成されている。この外周壁４１２には、スマートフォン３２の外れ止めのためのフックや爪が、適宜設けられていてもよい。搭載部４１の裏面には、前記第１の係合シート１１が貼付けられている。
【００７４】
一方、巻取り部４３は、前記基板１２に対応する基板４３１上に、前記巻取り軸１３，１４、フランジ板１７，１８および第２の係合シート１５，１６を備えて構成される。連結部４２は、巻取り軸１３，１４の高さおよび係合シート１１；１５，１６の厚みに対応した幅を有し、両側の搭載部４１および巻取り部４３との連結部分で、前記ブックカバー式に巻取り部４３を搭載部４１から開閉可能にする。
【００７５】
このように構成することで、スマートフォン３２の保護カバーとなる該配線巻取具４を使用して、カバー（巻取り部４３）を開けてコード２１やイヤフォン本体２３，２４の巻取りや引出しを行い、カバー（巻取り部４３）を閉じることで、それらのコード２１やイヤフォン本体２３，２４を容易に固定することができる。
【００７６】
また注目すべきは、本実施形態の配線巻取具４は、図５で示すように、基板４３１の裏面には、車両へ取付けるためのブラケット４１４が設けられていることである。このブラケット４１４は、自動車のダッシュボードなどに固着されている支持具６に取付くためのものである。支持具６は、前記ダッシュボードなどに粘着などで固定される基台６１と、その基台６１から立設される支柱６２と、支柱の頂点に設けられる角変位機構６３と、角変位機構６３によって、前記支柱６２から所定の角度で支持される支持棒６４と、支持棒６４の先端に取付けられる取付き板６５とを備えて構成される。
【００７７】
前記ブラケット４１４は、取付き板６５が差込み可能なように搭載部４１の裏面から隆起する隆起部４１４１を有するとともに、支持棒４４が通過するためのスリット部４１４２を有する。取付き板６５は矩形に形成され、隆起部４１４１も取付き板６５の幅より僅かに大きく形成されることで、取付き板６５に嵌め込まれたブラケット４１４、すなわち該配線巻取具４およびスマートフォン３２の支持棒４４回りの回転が阻止されて、それらは支持具６に支持される。角変位機構６３は、玉軸受け６３１に、固定用のボルト６３２を備えて構成され、それらによって、支柱６２に対する支持棒６４の角度を調整し、該配線巻取具４およびスマートフォン３２の仰角および左右の回転角を所定範囲で調整可能となる。
【００７８】
こうして、前記ダッシュボードなどに取付けられたスマートフォン３２は、カーナビとして使用される。したがって、スマートフォン３２をカーナビとして使用するにあたって、車両への取付けのために、わざわざホルダを用意する必要はなく、該配線巻取具４を共用することができる。図５の例では、基台６１は、ダッシュボードの上に取付ける形状となっているが、空調の吹出口に差込まれて取付く構造であってもよい。また、上述のような車両搭載で使用されることが無い場合のために、ブラケット４１４は、面ファスナーなどで搭載部４１から着脱可能となっていてもよい。さらにまた、ブラケット４１４と取付き板６５とのガタツキを防止するために、支持棒６４に、前記隆起部４１４１を取付き板６５との間で締め付ける（挟み込む）ネジなどが設けられてもよい。
【００７９】
（実施の形態３）
図７〜図１０は、本発明の実施のさらに他の形態に係る配線巻取具７の使用状態を説明する斜視図である。この配線巻取具７は、装着される電子機器として、スマートフォン３２と携帯音楽プレーヤ３１とのいずれでもよいが、以下、スマートフォン３２で説明する。この配線巻取具７において、前述の配線巻取具１に類似し、対応する部分には同一の参照符号を付して、その説明を省略する。
【００８０】
注目すべきは、この配線巻取具７は、前述の配線巻取具１が携帯音楽プレーヤ３１に直接貼付けられるのに対して、スマートフォン３２に直接貼付けられず、別体のコード巻きとして使用可能なことである。そのため、前述の配線巻取具１において携帯音楽プレーヤ３１に貼付けられていた第１の係合シート１１は、押えカバー７１に貼付けられている。板状の基板７２に、２本の巻取り軸１３，１４が相互に間隔を開けて配置されて、それらにはフランジ板１７，１８が貼付けられて、その上に第２の係合シート１５，１６が貼付けられている点は、配線巻取具１と同様である。
【００８１】
こうして、第１の係合シート１１と第２の係合シート１５，１６との面ファスナーによって、押えカバー７１は、基板７２から着脱自在となる。そして、図７で示すように、基板７２から押えカバー７１を外した状態で、コード２１の着脱、すなわち巻取り軸１３，１４にコード２１を巻付けたり解いたりすることができ、図８で示すように、第１および第２の係合シート１１；１５，１６の係合によって、押えカバー７１と基板７２との間にコード２１（場合によってはイヤフォン本体２３，２４も）を挟み込むことができる。
【００８２】
これによって、必要に応じて該配線巻取具７を用い、コード２１を絡まないように巻付けて、コンパクトに、かつスマートフォン３２とは切離して、つまり別体で収納することができる。また、２本の巻取り軸１３，１４が間隔を開けて配置されるので、巻付け回数を少なくし、軸の高さを低く、したがって該配線巻取具７を装着したスマートフォン３２の厚さを薄くすることもできる。
【００８３】
また、本実施形態の配線巻取具７において注目すべきは、スマートフォン３２は板状に形成されることから、基板７２および押えカバー７１はその板に沿う板状に形成され、それらにおいて、２本の巻取り軸１３，１４の配列方向の端部付近が、連結部材７３，７４で連結されることである。連結部材７３，７４は、ゴム紐などの伸縮性を有する材料から成る。図７では、分り易くするために、連結部材７３，７４のゴム紐を、延ばした状態で示している。図８は、連結部材７３，７４のゴム紐が、縮んだ状態を示している。
【００８４】
そうすることで、適宜コード２１を巻付けたこの配線巻取具７を、図９で示すようにスマートフォン３２に直接取付けたり、図１０で示すようにスマートフォン３２のカバー４ａに取付けることができる。詳しくは、第１および第２の係合シート１１；１５，１６は、相互に係合できなくなるが、図９で示すように、基板７２と押えカバー７１との間にスマートフォン３２を挟み込み、コード２１は、そのスマートフォン３２と基板７１との間に挟み込むことになる。或いは、図１０で示すように、スマートフォン３２のカバー４ａにおいて、蓋４５を挟み込む。図１０の場合、カバー４ａの表に基板７２が密着し、裏には、薄い押えカバー７１が密着することになる。この配線巻取具７の着脱の際には、ゴム紐から成る連結部材７３，７４を伸縮させる。
【００８５】
こうして、コード２１を巻取った該配線巻取具７を、前述のようにスマートフォン３２或いはそのカバー４ａと別体とするだけでなく、一体とすることもできる。また、連結部材７３，７４をゴム紐とすることで、該配線巻取具７を、容易に一体化或いは別体化することができる。
【００８６】
なお、押えカバー７１および第１の係合シート１１については、可撓性を有するシート体などでもよく、スマートフォン３２に沿うことができればよい。押えカバー７１は、巻取り軸１３，１４間を連結し、該巻取り軸１３，１４と同径以上で、コード２１やイヤフォン本体２３，２４を基板７２との間で挟持できるものであればよい。そのため、図７〜図１１の例では、ゴム紐から成る連結部材７３，７３を通し、ひっくり返したりすることが容易なように、押えカバー７１は、基板７２よりも小さく形成されている。
【００８７】
（実施の形態４）
図１１〜図１３は、本発明の実施の他の形態に係る配線巻取具５の使用状態を説明する斜視図である。この配線巻取具５も、格別、電子機器に装着されなくてもよいが、図１３の状態の外周部に面ファスナーを貼付け、それが前述の面ファスナーから成る第１の係合シート１１に貼付くことで、電子機器に一体化されてもよい。
【００８８】
注目すべきは、この配線巻取具５は、イヤフォン２のコード２１を巻取るにあたって、相対的に径の太い筒状部５１と、筒状部５１の一端５１１を閉止するように該一端５１１から延び、２股に割れて形成され、相対的に径の細い巻取り軸５２，５３とを備えて構成されることである。筒状部５１および巻取り軸５２，５３は、ニット素材から成り、図１１で示すように、巻取り軸５２，５３には、手袋状に使用者５９の２本の指５９１，５９２が通った状態で、図１２で示すように、コード２１が巻掛けられる。
【００８９】
つまり、この配線巻取具５は、実際にコード２１が巻回される巻取り軸５２，５３を、太い筒状部５１から２股に割れて形成し、図１１で示すように、筒状部５１から巻取り軸５２，５３が延びた状態で、図１２で示すように、巻取り軸５２，５３の周囲にコード２１を交互に巻掛けることで巻取り、その後、図１３で示すように、筒状部５１を巻取り軸５２，５３との境界（一端５１１）付近で折返すことで、コード２１を巻取った巻取り軸５２，５３を該筒状部５１内に収容して、解けないようにして保持する。このように構成することで、コード２１を絡まないように巻付けて、簡単かつコンパクトに収納することができる。
【００９０】
前記筒状部５１および巻取り軸５２，５３は、ニット（編み物）に限らず、形のあるゴム手袋などのような物でもよい。しかしながら、ニット素材で形成することで、不使用時は平らに潰して、適宜折畳んだりして、コンパクトに保管することができる。そして、使用時は、自己支持（形状保持）性の乏しいニット素材につき、上述の通り、手袋のように使用者５９の２本の指５９１，５９２を筒状部５１から巻取り軸５２，５３に通した状態で、コード２１を巻掛けることができるようになる。
【００９１】
そのニット素材から成る場合、筒状部５１は、袖口などで見られるリブ編みで形成されることが好ましい。リブ編みは、表編みと裏編みとを交互に編む編み方で、フライス編み、ゴム編み、畦（あぜ）編みとも呼ばれ、横方向の伸縮性に富む。そのため、コード２１が巻掛けられた巻取り軸５２，５３を、該筒状部５１が収縮して、コード２１が解けないように収容することができ、好適である。
【００９２】
また、該配線巻取具５がニット素材から成る場合、ポリエステル繊維を含有することが好ましい。そうすることで、前記自己支持（形状保持）性を増加することができる。また、或る程度の導電性を持たせることも可能であり、コードとしてはイヤフォン２のコード２１、電子機器としてはスマートフォン３２の組合わせの場合、手袋状の該配線巻取具５を着用したまま、スマートフォン３２の操作が可能になる。図１１および図１２の例では、巻取り軸５２，５３が指５９１，５９２にフィットして、前記スマートフォン３２の操作がし易いように、巻取り軸５２，５３の長さを変えているが、同じであってもよい。
（実施の形態５）
図１４および図１５は、本発明の実施のさらに他の形態に係る紐体の巻取具８の斜視図である。上述の配線巻取具１，４，５，７が配線（コード２１）の巻取り用であったのに対して、この巻取具８は、一般的な紐体９の余剰部分を巻取るものである。図１４の例では、紐体９は、巾着袋９９の口を締め上げる紐である。
【００９３】
この巻取具８は、基板８２と、基板８２に相互に間隔を開けて立設され、その周囲に紐体９が巻き掛けられる２本の巻取り軸８３，８４と、巻取り軸８３，８４の先端に固着される抜け止め用のフランジ８７，８８とを備えて構成される。基板８２において、巻取り軸８３，８４の並ぶ長手方向の一端側には、孔８５が形成されており、前記紐体９の先端９１は、図１５で示すように、この孔８５を挿通された後、玉９２に括られ、抜け止めされている。基板８２の他端側には、巻取り軸８３，８４に適宜巻回された紐体９を挟み込んで係止するスリット８６が形成されている。
【００９４】
図１４の例では、上述のように、紐体９は、巾着袋９９の口を締め上げる紐であり、したがって往復２本分が一対で該巻取具８に巻取られるが、実際の巻取り軸８３，８４への巻付けは、２本一対で行われてもよく、或いは１本ずつ個別に行われてもよい。図１４の例では、紐体９を適宜の長さに調整するために、巻取り軸８４よりも、巻取り軸８３への巻付けの回数が多くなっている。図１４および図１５では、紐体９は編み紐で、スリット８６の隙間に挟み込むだけで、摩擦で、解けないように係止されている。紐体９がビニルなどの外径が均一で、滑り易い紐の場合には、基板８２に、クランパなどの、解け止めを行うための格別の構成が用いられてもよい。
【００９５】
このように構成することで、たとえば、巾着袋９９が、学校で使用される上履きや体操着の収納に用いられる場合、図１６で示すように机１０のフック１０１に紐体９を引っ掛けると、伸びた紐体９によって巾着袋９９が床面に引摺ってしまうのに対して、本実施形態の巻取具８を用いることで、巾着袋９９を床面から浮かして、フック１０１に吊下げることができる。
【符号の説明】
【００９６】
１    配線巻取具
１１    第１の係合シート
１２    基板
１２１，１２２    スリット
１３，１４    巻取り軸
１５，１６    第２の係合シート
１７，１８    フランジ板
２    イヤフォン
２１    コード
２２    プラグ
２３，２４    イヤフォン本体
３１    携帯音楽プレーヤ
３２    スマートフォン
４    配線巻取具
４ａ    カバー
４１    搭載部
４１１  凹所
４１２  外周壁
４１４  ブラケット
４１４１    隆起部
４１４２    スリット部
４２    連結部
４３    巻取り部
４３１  基板
４４    支持棒
４５    蓋
５    配線巻取具
５１    筒状部
５２，５３    巻取り軸
５９    使用者
５９１，５９２    指
６    支持具
６１    基台
６２    支柱
６３    角変位機構
６３１  玉軸受け
６３２  ボルト
６４    支持棒
６５    取付き板
７    配線巻取具
７１    押えカバー
７２    基板
７３，７４    連結部材
８    紐体の巻取具
８２    基板
８３，８４    巻取り軸
８７，８８    フランジ
９    紐体
９９    巾着袋
１０    机
１０１  フック
【図１】
2018195863.tif 000003
【図２】
2018195863.tif 000004
【図３】
2018195863.tif 000005
【図４】
2018195863.tif 000006
【図５】
2018195863.tif 000007
【図６】
2018195863.tif 000008
【図７】
2018195863.tif 000009
【図８】
2018195863.tif 000010
【図９】
2018195863.tif 000011
【図１０】
2018195863.tif 000012
【図１１】
2018195863.tif 000013
【図１２】
2018195863.tif 000014
【図１３】
2018195863.tif 000015
【図１４】
2018195863.tif 000016
【図１５】
2018195863.tif 000017
【図１６】
2018195863.tif 000018
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
電子機器に装着されて、該電子機器に関連する配線を巻取る配線巻取具において、
前記電子機器に貼付けられる第１の係合シートと、
前記配線が巻回される巻取り軸と、
前記巻取り軸の一端部に貼付けられて前記第１の係合シートと係合する第２の係合シートとを含み、
前記巻取り軸は、蛇腹状または望遠鏡状に、軸方向に伸縮可能であることを特徴とする配線巻取具。
【請求項２】
電子機器に装着されて、該電子機器に関連する配線を巻取る配線巻取具において、
前記電子機器に貼付けられる第１の係合シートと、
前記配線が巻回される巻取り軸と、
前記巻取り軸の一端部に設けられ、前記巻取り軸より大径のフランジ板と、
前記フランジ板に貼付けられて前記第１の係合シートと着脱自在に係合する第２の係合シートと、
前記巻取り軸の他端部が固着される基板とを含むことを特徴とする配線巻取具。
【請求項３】
前記巻取り軸は、２本が相互に間隔を開けて配置されて、その巻取り軸間に前記配線が巻掛けられることを特徴とする請求項１または２記載の配線巻取具。
【請求項４】
前記電子機器はスマートフォンまたは携帯音楽プレーヤであり、前記配線はイヤフォンのコードであり、前記配線の他方の端部はイヤフォンプラグが前記電子機器のイヤフォンジャックに差込まれて係止されていることを特徴とする請求項１〜３の何れか１項に記載の配線巻取具。
【請求項５】
前記基板には、車両へ取付けるためのブラケットが設けられており、
前記電子機器はスマートフォンであり、前記車両取付け時にナビゲーション機能が使用されることを特徴とする請求項２記載の配線巻取具。
【請求項６】
電子機器に関連する配線を巻取る配線巻取具において、
板状に形成される基板と、
前記基板に、２本が相互に間隔を開けて配置されて、その間に前記配線が巻掛けられる巻取り軸と、
前記基板に沿う板状に形成される押えカバーと、
前記押えカバーに貼付けられる第１の係合シートと、
前記巻取り軸の一端部に貼付けられて前記第１の係合シートと着脱自在に係合する第２の係合シートとを含むことを特徴とする配線巻取具。
【請求項７】
前記電子機器は板状に形成され、前記基板および押えカバーはその板に沿う板状に形成され、
前記基板と押えカバーとにおいて、前記２本の巻取り軸の配列方向の端部付近を相互に連結する連結部材とを含み、
前記連結部材の連結によって、前記基板と押えカバーとの間に前記板状の電子機器が挟込み可能となることを特徴とする請求項６記載の配線巻取具。
【請求項８】
電子機器に関連する配線を巻取る配線巻取具において、
相対的に径の太い筒状部と、
前記筒状部の一端を閉止するように該一端から延び、２股に割れて形成され、相対的に径の細い巻取り軸とを含み、
前記筒状部および巻取り軸はニット素材から成り、前記筒状部はリブ編みで形成され、
前記筒状部から前記巻取り軸が延びた状態で前記巻取り軸の周囲に前記配線が交互に巻掛けられ、前記筒状部を前記巻取り軸との境界付近で折返した状態で、前記配線が巻掛けられた前記巻取り軸を該筒状部内に収容することを特徴とする配線巻取具。
【請求項９】
余剰の紐体を巻取るための巻取具において、
基板と、
前記基板に相互に間隔を開けて立設され、その周囲に前記紐体が巻き掛けられる２本の巻取り軸と、
前記巻取り軸の一端部に設けられ、前記巻取り軸より大径のフランジと、
前記基板に形成され、巻き掛けられた前記紐体の端部付近を係止する係止部とを含むことを特徴とする紐体の巻取具。
【手続補正２】
【補正対象書類名】明細書
【補正対象項目名】００６７
【補正方法】変更
【補正の内容】
【００６７】
また、本実施形態の配線巻取具１は、使用する電子機器として、スマートフォンまたは上述のような携帯音楽プレーヤ３１であり、巻取る配線としては、イヤフォン２のコード２１であることが好ましい。それは、前記スマートフォンや携帯音楽プレーヤ３１の場合、薄い板状に形成されるので、コード２１を薄く収納できる本発明が好適であるためである。また、イヤフォン２のコード２１は細く、長く、絡まり易いためである。さらに、そのイヤフォン２のコード２１は、イヤフォン本体２３，２４が取付けられている一端がフリーで、他端はジャックとプラグ２２とで係止できており、コード２１を巻取って一端を係止するだけで、解けないようにコンパクトに収納することができるためである。